(57)【要約】      （修正有）【課題】歯茎や鼻腔の炎症を軽減させ、自己治癒力の判断をしようとする自己治癒力測定装置を提供する。【解決手段】先端にブラシ１備え、モータ３の回転をブラシ２に伝え、スイッチにより、モータ３の回転方向を切替られ、充電電池４よりモータ３を駆動する。ブラシ２は、柔らかいものから硬いものまで数種類用意し、炎症の程度に応じて使い分ける。鼻腔や気管支にたまった粘液を、「白血球消費量測定収集器」に「気管支降水うがいの方法」で排水したものをステンレス受け皿で受け止め、濾紙ポットに集め、濾紙ポット部分にたまった排出白血球を「白血球消費計量器」で、計量して「自己治癒力」の判断指標にする。【選択図】図１
2009022705.tif 000002
【特許請求の範囲】
【請求項１】
鼻腔付近への血行をよくする手段として、電動歯ブラシを応用した回転切り替え式歯茎マッサージ器を提供します。鼻腔への血流増加を外部から促進させるため、歯ブラシで、鼻腔に薄皮１枚で隔てられた歯茎にマッサージすることは、効果がありました。この場合、出来るだけ広い面積を、時間をかけて、ブラッシングするにはかなり力が要ります。しかも利き腕の違いでその程度が違ってきます。従って、提供する電動歯茎マッサージ器は、３６０度植え込んだブラシに、単純に緩やかな回転を与えるだけでよく、歯茎の根元の奥まで入り込み、上あごでは下向きに、下あごでは上向き毛細血管の方向に刺激を与えます。唇の内側をマッサージする場合には、逆回転にします。
【請求項２】
鼻腔内細胞の働きの結果排出される「鼻汁」「痰」とは、自分のために、異物と闘い犠牲となった、白血球達の変わり果てた姿であること認識し、単に汚物として捨てるのではなく、消費した「自己治癒力」の指標と捉え、効果的なうがいの方法と組み合わせて、収集計量できる、「白血球消費測定収集器」を提供します。この装置の運用は、ものがものだけに、全部自分で処理できることが肝心です。まず、うがいの方法です。水を咽の奥まで降下させ、気管支部分にたまった、粘液を水に浸します。次に頭を下げると、咽奥にある分離弁が開いて、鼻を通して排水することができます。残りは口を通して排出しますので、その排水を全てこの「白血球消費測定収集器」に落ちるよう、訓練します。ほとんどの粘液、鼻汁、痰が、収集できるようになれば、収集装置の受け皿に流し込んだ粘液は、コーヒーフィルタ用紙と同等の濾紙の中心にあるポット部分にたまり、濾紙にたまった排出白血球を計量して、その日、その回の記録をとります。
【請求項３】
「白血球消費量測定収集器」に効果的に排出するための「気管支降水うがいの方法」をモノではないものの、「方法論」として提供します。その方法は、１）水をたっぷり含んで咽の奥まで降下させ、気管支部分にたまった、粘液を水に浸して液化する。２）次に頭を下げた時、咽奥にある分離弁が口でなく、鼻方向に開くよう練習して、鼻を通して排水する。３）これを何度か繰り返し、鼻腔内に水流を通して固まった粘液を液化させて流し出し、鼻をかんで鼻腔内粘液を排出する。４）残りは口を通して排出する。取れにくい「痰」も液化すると、吸出しやすくなる。
【請求項４】
「白血球消費量測定収集器」で収集した粘液を計量する測定装置、「白血球消費計量器」を提供します。これはデジタル表示の台秤であり、台座に収集ポットを載せて重量を測り、圧力センサの抵抗値の変化をデジタル表示し、その計量結果を日時とともに記録し、データを内蔵メモリに蓄積します。１週間程度の頻度で、計量蓄積したデータを集計し、体調の変化、炎症の程度、炎症の部位等も同時に比較表に記入していけば、「白血球」の働きが見えてくるので、自分の「自己治癒力表現表」を作成します。体内の見えない動きを目に見えるものにする、ＭＲＥなどの電子工学を駆使した医療技術は、今日の医療技術の花形ですが、臨床に役立つ、家庭でも使用可能な装置は、体温計とか血圧計などしかないのが現状です。この「自己治癒力測定器」は、自分の「白血球消費量」を「見える形」にします。また、この計量器は各種圧力センサーの外部入力端子を持ち、多角的利用を可能にします。
【請求項５】
回転式歯茎マッサージ器による血行増進作用は、鼻腔の活動促進だけではなく、歯茎そのものを活性化させるので、当然のことながら、歯肉炎や虫歯予防に役立つことができます。この、歯肉炎、虫歯対策の効果測定のために、「歯肉圧力計」と「噛み力計」を提供します。「歯肉圧力計」は、球形の先端を持つ約１０ｃｍの棒状のセンサーと、請求項４の「白血球消費計量器」をリードケーブルで接続し、自分の指で棒状センサーの先端を歯茎に当てます。炎症をおこしている場所で、痛みを感じると、計量器の痛点ボタンを押します。痛点ポイントと、痛みを感じてボタンを押した圧力数値をデータとして記録します。炎症を起こしているポイントは腫れて柔らかくなっていて、痛みに比例した柔らかさを示します。マッサージを続けて、その症状が改善されてきた場合は、マッサージ効果として評価することができます。また、「噛み力計」は棒状センサー先端の上下に「噛みポイント」を埋め込み、この部分を虫歯の痛む場所にて噛んで見て、痛みを感じるポイントで２秒ほど停止し、その数値を噛み圧値のデータとして記録します。噛み圧が高くなれば、固い食物が食べられることを意味し、その変化をもって、マッサージの効果とします。
【請求項６】
標準的なデジタルカメラに対して、外部カメラアタッチメントを追加する改造機種を提案し、この外部アタッチメントから、５０ｃｍ程度の光ファイバを利用してカメラレンズ部分を延長した、「口内カメラ」を提案します。このカメラで適時自分の歯茎の表情や、痛む歯の周辺を観察し、記録することで、より効果的歯磨きとマッサージを継続させるモチベーションとなります。カメラ部分は２０ｃｍ程度長さで直径２０ｍｍの棒状になっていて、先端の横部分に広角のカメラレンズ、及びその周囲に高輝度ＬＥＤによる照明を埋め込みます。この部分は完全防水構造として、水洗いを可能にします。撮影するために、歯茎に平行に差込み、頬の内側で可能な限り外側に広げて、歯茎の各部分を撮影します。撮影の角度は、デジタルカメラのモニタ画面で確認しながら撮影し、炎症が起こっている部分は特に、変化を確認できるよう記録します。同じ部位の時間差画像は、その色具合や表面の光沢等で、痛い時と健康な時の差を教えてくれます。
【請求項７】
この歯茎マッサージと、白血球の測定器、及び歯茎の監視弾力測定器を、普及させ、教育訓練する組織を立ち上げ財政の裏付けを確かなものにするため、現在普及している「医療保険」に「予防特約」を追加契約する方式を「医療予防保険」として提供します。健康によいとされる、食品や飲料、健康器具その他は沢山商品化され、使用されていますが、その効果に裏づけのとれているものは以外に少ない。この発明は、器具が商品化されれば、個人としても勿論検証が可能ですが、組織的に多数のサンプルにて統計処理できれば、より有効性が立証されます。
従って、この「医療予防保険」は、普及のための組織を立ち上げ、加入者に「予防方法」を教育訓練し、効果を数値化します。この数値、いわば「予防効果値」をもって、医療保険の保険金支払い率との比較検討をします。この組織の職員は地域に分散して地域の加入者サービスを行うので、相当の高齢者まで雇用が可能になり、年金の不足を相互に補完する機能をもつことになります。
【発明の詳細な説明】
【技術分野】
【０００１】この発明は、歯茎のマッサージにより、歯茎や鼻腔の炎症を軽減させ、鼻腔周辺の炎症から排出される血液中の「白血球」の自己消費量を計量して「自己治癒力」の判断指標にしようとするもので、健康維持器具及びその効果測定技術の分野である。
【背景技術】
【０００２】従来技術では、「鼻汁」や「痰」は単に「汚物」であって、消費された「白血球」とは認識されていなかった。特許技術として登録されている従来技術も見当たらない。これらは汚物として処分されるだけであり、成分分析を施すことがあっても、特定の検査機関だけが外来の雑菌類、異物の種類を特定することが出来、その検体として利用されるだけであった。鼻腔の洗浄方法も旧来からの受け皿注水方式がほとんどで、公開情報の２００４−２２３１９４においても、鼻から洗浄水を注入する方式であって、実施する身にとっては、苦痛を強いるものであった。歯茎のマッサージにしても、歯磨きの一環であって、鼻の炎症に関連づけた対策は見当たらない。鼻腔は、顔の表面下にあり、表面上の様に美容の対象にもならず、脳に近いため内部の観察も容易ではない。鼻腔の炎症は、脳神経に近いだけ苦痛や痛みが直接脳に伝わり、身体全体に影響を及ぼすが、現状では、単なる鼻の症状と見られていて、自分でできる、症状の見える検査手段は見当たらない。【０００３】歯科の世界もまた、鼻腔の存在を無視したかのような隔絶した分野になっていて、金になる「歯」そのものの材質開発には熱心であるが、歯茎に対するケアの方法は見当たらない。歯茎と鼻腔を表裏一体で捉える見方は、臨床医の間では研究されているものの、立証が困難であることから、日の当たるテーマにはなりにくい。【０００４】医療保険制度においては、入院、治療の現実的医療費のリスクを商品にしているため、加入者にとっては、健康でいることが損ということになっている。保健業界における従来技術は、死亡率や罹患率から保険金を予測して保険商品を売り出したものの、いざ病気になった時保険金の支払いをしぶったケースが明るみに出て問題となりました。また、保険に入り病院で治療を受けられる人はまだしも、痛みを抱え、体調がすぐれなくても仕事を休めない、休めば収入減となる人も多数います。こうした次の病人予備軍にとって魅力的な保険商品は今のところみあたりません。
【発明が解決しようとする課題】
【０００５】自分の健康をいかにして自分で守っていくか、をこの発明の課題としています。そのためには、自分の体内の働きを「見える形」で表現できる方法を開発することができれば、マッサージ等の自己努力の結果が、効果として客観的に評価できるので、さらに励みになり、健康増進に寄与できる。上あごと歯茎はほぼ一体の構造になっていて、舌で口の中の天井部分、（医療用語では「喉頭蓋」）を探ってみると、薄皮饅頭の薄皮１枚状で隔てられた先は、細胞の最も集積された鼻腔なのである。従って、鼻腔内で炎症が始まれば、薄皮を通して歯茎に、ガンガン影響が出てくるの当然である。また、鼻腔のさらに上部は、間脳など脳神経の中枢に接していて、鼻腔の炎症は即、脳の痛みにも直結している。鼻腔が炎症を起こすと、口の中の天井部分がざらつき、歯茎が痛み出す。白血球の活動が活発になれば血流が鼻腔に集中しますが、同時に体内各所に様々な影響がでてきます。血流の大量消費地である脳への血流が不足して「頭痛」を起こしたり、耳への血流不足は「めまい」になる人もいます。
【０００６】人体の血圧は通常心臓の出口付近の圧縮時には１３０ｍｈｇ、吸引時には８０ｍｈｇです。これが末端にいくと、下部の足の部分で約３０ｍｈｇ増加し、上部の脳の入り口では約１０ｍｈｇ低下すると見積もられています。これは重力の影響を受けているからで、２足歩行する人類の宿命です。
上に向かう血流はそのほとんどが脳で消化されますから、その周辺部、鼻腔や歯茎に向かう血流はそもそもが不足気味といえます。不足気味の割に鼻腔は、空気浄化機能や外敵阻止の重要な役割を演じており、歯や歯茎も食物を消化するエネルギー補給の最先端に位置しています。この両者に不都合が生じると、体調全体に影響がでてきます。従って、この両者に十分な血流を補償し、外敵と闘う白血球や赤血球を十分に補給するためにはどうするか、が課題です。
【課題を解決する為の手段】
【０００７】そこで、本発明では、薬物に代わり、鼻腔周辺の血行を増進させるため、鼻腔に最も近く、口で塞がれてはいるものの開いてみると以外に広い面積をもつ歯茎に着目し、歯茎から血流増進をはかる歯茎マッサージ器を提供します。従来技術では、電動歯ブラシがあって、手に持つ部分に電動モーターを内蔵させ、ブラシ部分を前後に振動させたり、首振り運動をさせて歯垢を取るというものが市販されています。本発明による歯茎マッサージ器は、かなり力のいる、手首の運動を助ける目的であり、緩やかな回転運動を、歯茎の根元部分から歯の生え際まで、毛細血菅の末端に向けて刺激し、血行を増進させます。図１の▲１▼はブラシ部分で、柔らかいものから硬いものまで数種類用意し、炎症の程度に応じて使い分けます。最初は柔らかいもので回転数を下げ、歯茎表面に傷をつけないように注意する。▲２▼の回転軸はモーターの回転をブラシに伝えます。▲３▼はＤＣモーターでスイッチにより回転方向を切り替えます。▲４▼は電源であり、充電電池を使用して操作性をよくし、ＡＣ電源で充電できる方式です。
【０００８】本発明では、そのマッサージの効果を計測するため、鼻腔や気管支にたまった、粘液を収集して計測し、その増減によって、効果を判定します。図−２の「白血球消費量測定収集器」に「気管支降水うがいの方法」で排水したものを▲２▼ステンレス受け皿で受け止め、▲３▼の濾紙ポットに集めます。
ほとんどの粘液、鼻汁、痰が、収集できるようになれば、コーヒーフィルタ用紙と同等の濾紙ポット部分にたまった排出白血球を計量して、その日、その回の記録をとります。
【０００９】この排出白血球を記録し、測定する装置が「白血球消費計量器」で、図−３の「デジタル圧力計測部」と台秤、及び外部入力端子で構成され、液晶表示部には、日時、センサの種類、圧力レベルが表示されます。濾紙ポットを計量台に乗せ、重量を計量します。多分に水分を含んでいますが、水分を含んだポットを予め計量しておき、数値の補正をします。操作しやすい場所に、痛みを感じた時に押す、痛点ボタンを配置します。これには、メモリカードが内蔵されていて、その回のデータは日時と共に記録されます。電源はやはり充電式であって、持ち運びが容易です。側面には圧力センサプルーブに接続される、外部入力端子をもちます。圧力レベルは３段階程度の切り替え式とし、各種のセンサーに対応するものとします。
【００１０】「気管支降水うがいの方法」は、気管支の奥まで水を滞留させて「痰」を液化させ、鼻腔を通して排水する方法である。うがいの水流により、鼻腔内の固形化した鼻汁も液化するので、鼻腔内洗浄が楽に出来るのである。特別な洗浄水を用いる必要はなく、普通の水道水でよい。このことは、鼻腔内細胞群の空気浄化機能の負担をへらし、鼻をかむ行為とは比較にならない、細胞群の働きを活性化させる効果がある。「エアコンのフィルタは掃除するのに、どうして鼻のフィルタは掃除しないの」をキャッチに是非普及させたい、自己鍛錬法である。
この「気管支降水うがいの方法」によってのみ、測定器への集中排水が可能になり、他の方法、たとえばペーパー類に落とした白血球は、収集不可能になる。
単なる「方法論」であって、特許にはなじまないと思われるものの、敢えて、何らかの権威を与えることが、アイデアでは終わらない、普及のための鍵となろう。
ここで提供する、「気管支降水うがいの方法」は咽奥の鼻と口の分離弁の働きを観察した結果、ご飯粒がつかえて苦しんだ時、鼻からご飯粒が出てきたことをヒントに、水を逆流させる練習した結果のたまものであり、このうがいを会得がこの発明のヒントになった。
【００１１】歯肉炎対策の測定器としては、図−３の▲５▼「圧力センサプルーブ」があります。プルーブの先端に「歯肉痛感知センサ」を埋め込み、歯茎の炎症部分に押し付け、痛みを感じるポイントとレベルを記録します。このプルーブは先端の突起した感知部で内蔵した圧力センサに圧力を加え、その抵抗値の変化を「デジタル圧力計測部」に伝えます。同様にこのプルーブの先端付近の上下に「噛み圧感知部」を埋め込み、痛みを感じるポイントとレベルを記録します。「噛み圧感知部」から内蔵した圧力センサに圧力を加えて、その抵抗値の変化を「デジタル圧力計測部」に伝えます。
「歯肉痛感知センサ」では数ｍｇ、「噛み圧感知部」では数百ｇまでのレベルになるので、「デジタル圧力計測部」には数段階の感度切り替えの機能が必要です。この圧力計データは自分の目で見ながらどのポイントの炎症が痛むか、どの歯で痛みがあるか、試せることが必要です。
【００１２】図−４の「口内カメラ」は上記の圧力ポイント試験に不可欠な自己目視点検の手段となります。これは、一般的なデジタルカメラに本体のレンズと外部レンズの切り替えスイッチと外部入力端子を追加する改造を加えたものである。▲２▼の光ファイバコネクタは、外部カメラからの光ファイバを結合するコネクタである。▲４▼口内カメラプルーブは防水樹脂で作られ、カメラ本体と光ファイバのケーブルで結ばれ、先端部分に広角カメラと高輝度ＬＥＤの照明をうめこんである。撮影するために、歯茎に平行に差込み、頬の内側で可能な限り外側に広げて、歯茎の各部分を撮影します。撮影の角度は、デジタルカメラのモニタ画面で確認しながら撮影し、炎症が起こっている部分は特に、変化を確認できるよう記録します。
カメラ本体においては、レンズ部分が広角で接写に対応できるようモードの変更を加え、１０〜５０ｍｍの近接撮影に適する設定にします。撮影した画像は内蔵のメモリに蓄積しますが、日時、角度等、後日確認比較できるデータを側面に入力できる機能を追加します。
【発明を実施するための最良の形態】
【００１３】この発明による「自己治癒力測定器」の機器開発、運営は、個人の努力だけでは数値化された効果が期待できないので、組織化された形態を必要とします。「予防」が最大の目標ですから、公共サービスの要素もあり、継続的なフォローが欠かせません。従って、個人に器具を販売するのではなく、保険会社が「医療保険予防特約」の商品として売り出し、加入者に器具を配布して、使用方法を教育訓練する方式としたい。保険各社は、これまでの保険金未払いに代表されるイメージを払拭して、「健康」を商品化できるのでイメージアップになる。
従来の保険金支払い率は、各種疾病の罹患率から逆算して勘案されているものと推測されるが、この一般的な罹患率から加入者の予防努力による改善率を差し引き、一定期間の保険金支払い額が想定より低くなれば、「予防効果」金として払い戻しが得られるものとする。その代価として、加入者は保険料の追加分を納める。予防実施組織として「予防組合」を立ち上げ、訓練実施と経過のデータ管理を行う職員の採用教育を行う。この組織には、保険会社各社も参画し、運営経費を一定の割合で支払う。この組合にはメーカー各社も参画して必要な機器の開発を行い、地域で活動する指導員の教育訓練の場所やノウハウを提供し、保険料のプールから必要な代価を受ける。
【発明の効果】
【００１４】以上、本発明によって期待させる直接的効果は以下の通り。
１）鼻炎や花粉症、虫歯や歯肉炎で鼻や口内の炎症で苦痛を受けている多数の人に対して、その「口内痛」を軽減する効果が期待されます。特に痛くても病院に行く時間のない、忙しい社会人、学生等が自宅で簡単に毎日実行できる点が最大の効果です。
２）「痛み」は感覚作用の代表的なものですが、これほど他人に理解させることの困難な感覚もありません。この発明は「痛み」の測定はできませんが、痛みに対応したデータを蓄積するので、耳鼻科や歯科で「痛み」の説明にもどかしさを感じている人に、客観的尺度を示します。
３）薬物による苦痛の緩和は効果があったとしても一過性のものであって、自分の自己治癒力がどのレベルにあるかは、不明であるが、この発明により、自己治癒力、所謂「免疫力」が「白血球の消費量」として数値化されるので、効果が見える形に表現できます。
４）鏡を見てもなかなか自分の口内を観察することは難しく、この発明による、口内カメラは、自己管理の強力なツールになります。歯肉の状況、虫歯の形状、炎症の状態といった画像は、歯科の医学書でしか見ることができませんが、自分の歯ぐらいは自分で観察したいものです。決して美しい画像ではなく、炎症の程度などは、自分で判断できる性質のものではありませんが、同じ部位の時間差画像は、その色具合や表面の光沢等で、痛い時と健康な時の差を教えてくれます。専門医にとっても、貴重な判断材料となりますので、この方式がスタンダード化されれば、医療通信センターに画像を蓄積させておき、メール転送による遠隔医療が可能になります。
５）この発明を単なる個人の運用と結果を、自己責任に終わらせることなく、組織的に教育訓練することで、「歯茎マッサージ法」の指導普及、各種測定器の開発製造、加入者への配布、使用の指導、うがい方法の指導に地域の訓練指導者として高齢者の雇用機会を創出できる。
６）この組織は、保険機関各社と積極的に連携し、の医療保険に加え希望者に「予防特約」を契約締結の事務と保険料の徴収事務を担い、組織運営の財政基盤を受け持ちます。これにより、保険契約者は「先々の病気を恐れるだけでなく」、「今の健康を享受」するための支出を自覚することができます。
７）保険各社は、保険金の支払いをしぶるマイナスのイメージを払拭し、この発明により、積極的な健康管理を事業化することができます。追加の「予防保険料」を徴収し、その財源で「予防組合」を運営します。
【００１５】本発明によって期待させる副次的効果は以下の通り。
１）歯や口内周辺の痛みは、脳神経に様々な影響を及ぼしていることが知られています。勉学中に集中力を欠いて「気もそぞろ」になる状態、歯が痛んで入試や面接時に失敗してしまった例、仕事中、重要データの入力にミスしてしまった例、運転中つい気がうつろになって事故を起こしてしまった例、重要事項や危険な設備での点検作業中の見落とし、等、いわゆる「ケアレスミス」の原因としてこの口内痛がかなり比重を占めていると考えられ、この発明の運用が普及してかなりの数のサンプルが集まれば、発明の効果として「ミスの減少」が期待される。
２）一般に社会病理現象とかたづけられている様々な現象、キレル子供、通りすがりの無意味な喧嘩、原因不明の事故、動機無き殺人、口ごもりに対するいじめ、理由なき反抗、子供や親に対する虐待行為、口内痛を忘れるためのアルコール依存症や喫煙、といった「イライラの原因」にこの口内痛が一定割合で関与していることが立証できれば、その対策の糸口がみえてきます。
３）うがいの方法が改善されると、鼻腔の洗浄効果だけではなく、所謂「ガラガラ音」をたてる必要がなく、洗面所の使用で周囲の人に不快感を与えることが減少します。また、咽が快適になると、路上で「痰や、つば」を吐く行為が減少し、モラルの向上が期待されます。
４）最大の期待される効果は、「おいしい食事」であります。医は食なりとも言います。口内痛が完治して毎度の食事がおいしくなれば、必要な栄養素の吸収が可能になって健康を増進させます。おいしいい食事は「イライラ」を解消させ、勤労意欲、勉学意欲を高めます
５）自分自身の例で、予想もしなかった効果としては、昔、上あごがはずれて痛み、食事中にカクカク音がしていた症状が、何時の間にか気ならない程度に回復しました。血行の増進と歯茎の筋肉の増強が潤滑油の働きをしているかのようです。
６）この発明で提供する方法に慣れると、鼻腔の洗浄と気管支部分の「痰」の排出が楽にでき、寝たきりにならない限り、「痰吸い取り器」などのお世話にならなくてすみます。日常的にも、咽がいがらっぽい時の自衛策になります。「痰吸い取り器」の使用が医療行為になっていて、喘息に悩む小学生が普通小学校に行く希望を拒否された例がありました。幸い彼女は自分で操作できるため、通学が許されたのですが、この器具の使用と制約から解放されます。
７）もしこの方法が、各方面で立証され、義務教育段階で導入訓練されると、「かぜひき」の苦しみが相当数緩和され、団体生活につきものの感染症の予防に役立つことは確実であり、免疫力の実践的教育ともなり、親子ともども心配の種が減ると期待される。
【図面の簡単な説明】
【００１６】
【図１】本発明の実施形態を示す電動歯肉マッサージ器
【図２】同白血球消費測定収集器
【図３】同白血球消費計量器
【図４】同口内カメラ
【符号の説明】
【００１７】図１について、
▲１▼  ブラシ
▲２▼  回転軸
▲３▼  モーター
▲４▼  充電電池
図２について
▲１▼  ステンレス網目
▲２▼  ステンレス受け皿
▲３▼  濾紙ポット
▲４▼  ステンレス網目のポット収容ポケット
図３について
▲１▼  デジタル圧力計、計測部
▲２▼  濾紙ポット計量台
▲３▼  圧力センサーケーブルコネクタ
▲４▼  センサーケーブル
▲５▼  圧力センサプルーブ
▲６▼  噛み圧受圧部
▲７▼  内部に圧力センサ
▲８▼  歯肉痛感知センサ
▲９▼  内部に圧力センサ
図４について
▲１▼  デジタルカメラ「口内改造型」
▲２▼  光ファイバコネクタ
▲３▼  光ファイバ
▲４▼  口内カメラプルーブ
▲５▼  広角カメラレンズ
▲６▼  高輝度ＬＥＤ
【図１】
2009022705.tif 000003
【図２】
2009022705.tif 000004
【図３】
2009022705.tif 000005
【図４】
2009022705.tif 000006